(57)【要約】【課題】  従来の植栽用ブロックとの比較において著しく大きい植栽部分を有する植栽用積みブロックを提供する。【解決手段】  前面部の後方に客土スペースを設けて中仕切りを配置し、さらに中仕切りの後方に胴込めスペースを設けて控尻を配置した構成を有する植栽用積みブロックについて、前面部１１と中仕切り１２との間に、客土スペース１７に充填された客土の流出を抑制する流出抑制手段２０の取付け部を有し、前面部１１の下部に後方への曲がり部１５を有するものとする。流出抑制手段２０は、前面部１１と中仕切り１２との間に配置し、客土スペース１７からの客土の流出を抑制する流出止め部材２１と流れ止め部材２１を所定位置に配置するために、流出止め部材２１をブロック本体に結合する結合部材２２とを有している。【選択図】          図１
2006104676.tif 000002
【特許請求の範囲】
【請求項１】
前面部の後方に客土スペースを設けて中仕切りを配置し、さらに中仕切りの後方に胴込めスペースを設けて控尻を配置した構成を有する植栽用積みブロックであって、前面部と中仕切りとの間に、客土スペースに充填された客土の流出を抑制する流出抑制手段の取り付け部を有し、前面部の下部に後方への曲がり部を有することを特徴とする植栽用積みブロック。
【請求項２】
流出抑制手段は、前面部と中仕切りとの間に配置し、客土スペースからの客土の流出を抑制する流出止め部材と、流出止め部材を所定位置に配置するために、流出止め部材をブロック本体に結合する結合部材とを有する請求項１記載の植栽用積みブロック。
【請求項３】
前面部と中仕切りとの間隔は中仕切りと控尻との間隔よりも大きく、かつ積み上げ時、上位ブロックの前面部下部と中仕切り下部が下位ブロックの中仕切り上部と控尻上部に夫々支えられるように、前面部の下部を後方へ曲げて曲がり部を形成した請求項１記載の植栽用積みブロック。
【請求項４】
前面部の上部を除去して、客土スペースに通じる植栽のための開口を拡げる切除部を設けた請求項１記載の植栽用積みブロック。
【発明の詳細な説明】
【技術分野】
【０００１】
本発明は、前面部の後方に客土スペースを設けて中仕切りを配置し、さらに中仕切りの後方に胴込めスペースを設けて控尻を配置した構成を有する植栽用積みブロックに関するものである。
【背景技術】
【０００２】
近年、自然を生かした川づくりという施策が行われるようになり、そのためコンクリートの使用制限が強く打ち出され、また河川における災害復旧工事においてもコンクリートの使用を原則として制限する方向となっている。そのような状況の中で特開２０００−１４４６８３号の発明が提案されており、同号の発明は、植物が育成可能なスペース及び機能を有し、コンクリートをブロックの素材として利用しながら自然に配慮した護岸壁を構築できる技術を追求している。しかしながら、そのブロックの正面部と中仕切りとは略同大であり、隅の切り欠き状端部が植栽スペースを提供するに過ぎない。この点は実開昭６０−１８１４２２号の考案でも同様である。
【０００３】
また従来のこの種の植栽用積みブロックの場合、正面部の隅に切り欠き状端部を設けて植栽スペースとする構成上、ブロックの正面部は上下左右の辺部を全て接触させた状態で積み重ねなければならない。特開２０００−１４４６８３号では階段状の構築例も開示されている。しかし、そのためには控え長さの異なる積みブロックが必要であり、同一のブロックを積み重ねたのでは構築可能な植生構造は限られている。
【０００４】
【特許文献１】特開２０００−１４４６８３号
【特許文献２】実開昭６０−１８１４２２号
【発明の開示】
【発明が解決しようとする課題】
【０００５】
本発明は前記の点に着目してなされたもので、その課題は、従来の植栽用ブロックとの比較において著しく大きい植栽部分を有する植栽用積みブロックを提供することである。また本発明の他の課題は、植生土の流出を抑制することが可能な植栽用積みブロックを提供することである。また本発明の他の課題は、階段状に積み重ねられる植栽用積みブロックを提供することである。
【課題を解決するための手段】
【０００６】
前記の課題を解決するため、本発明は、前面部の後方に客土スペースを設けて中仕切りを配置し、さらに中仕切りの後方に胴込めスペースを設けて控尻を配置した構成を有する植栽用積みブロックについて、前面部と中仕切りとの間に、客土スペースに充填された客土の流出を抑制する流出抑制手段の取り付け部を有し、前面部の下部に後方への曲がり部を有するという構成を具備したものである。
【０００７】
本発明に係る植栽用積みブロックは、前面部と中仕切りとの間に客土スペースを設け、中仕切りと控尻との間に胴込めスペースを設けた基本的構造を有する。前面部と中仕切りと控尻は前後に平行に配置され、かつ控え部によって一体化され、平面視で漢字の王の字の形状をなしており、これをブロック本体と呼ぶものとする。
【０００８】
客土スペースは、植栽用として必須の空間であり、植物の生育のための土壌を充填す
る。胴込めスペースはブロックを積み上げて固定するための空間であり、土や砂利などの現地発生材を充填することができ、また構造上必要な場合にはコンクリートを打ち込むことも可能である。よって胴込め材を選ぶことができるため経済的な壁体を構築可能であるという利点を有する。さらに胴込めスペースには配筋を施したり、アンカー工法を施工したりすることもあるが、これらはコンクリート打設工法のバリエーションであり、実施形態の項で詳細に説明する。
【０００９】
客土スペースに充填された土壌が流失するのを防止するために、前面部と中仕切りとの間に、流出抑制手段を設置のための取り付け部を有する。流出抑制手段は、前面部と中仕切りとの間に配置し、客土スペースからの客土の流出を抑制するための流出止め部材と、流出止め部材を所定位置に配置しておくために、流出止め部材をブロック本体に結合しておく取り付け部としての結合部材とから構成される。結合部材をブロック本体に結合しておくために、ブロック本体の側にも結合部材を安定ないし固定させる相手部を設けることが望ましい。ブロックを積み上げるという構造上、流出抑制手段は、一般的には隣接ブロック間に設置される。
【００１０】
本発明の植栽用ブロックでは、それを構成している前面部、中仕切り及び控尻の関係について、前面部の下部と中仕切りの下部の間隔が、中仕切りの下部と控尻の下部の間隔と一致していることが望ましい。それによって、積み重ね時上位ブロックの前面部と中仕切りが、下位ブロックの中仕切りと控尻に夫々支えられるようになるからである。
【００１１】
また本発明では、前面部の下部に、後方への曲がり部を設ける。曲がり部は前面部の全幅に亘って設けてあることが原則であり、このことによって、上位のブロックを下位のブロックの上に積んだときに、下位のブロックの前部が全幅に亘って開口し、この開口が植栽に利用し得るものとなる。曲がり部に基く開口は、上位のブロックを下位のブロックの後方へずらせても、またずらせなくても、上、下ブロック間に形成されるものであり、非常に大きく開口させ得るものであって、著しく大きい植栽部分を実現するための手段である。植生領域をより大きく取るために、前面部と中仕切りとの間隔を、中仕切りと控尻との間隔よりも大きくし、かつ、前面部の下部を後方へ曲げて曲がり部を形成し、積み上げ時、上位ブロックの前面部の下部と中仕切りの下部が、下位ブロックの中仕切りの上部と控尻の上部に夫々支えられるようにすることができる。図４参照。さらに、前面部の上部を除去して、客土スペースに通じる植栽のための開口を拡げる切除部を設けることができる。切除部は下位ブロックの曲がり部と共同して植栽のための開口を拡げるもので、両者により左右方向と前後方向への開口の拡張が可能になる。
【００１２】
曲がり部は、前面部の下部に設けられているものであるから、ブロックの下部の開口を狭めて土壌の流出を減少させるためにも効果がある。また、前面部と中仕切りとの間を、中仕切りと控尻との間隔よりも大きくするということは、本発明のブロックによって保持し得る土壌の量が大きいということであり、このことと、曲がり部に基く広い開口との相乗効果として、多量の植物を育成することが可能となるということである。
【発明の効果】
【００１３】
本発明は以上の如く構成されかつ作用するものであって、前面部の下部に後方への曲がり部を有するので従来の植栽用ブロックとの比較において著しく大きい植栽部分を有する植栽用ブロックを提供することができるという効果を奏するとともに、流出抑制手段により植生土壌の流出を抑制することができる。また、上位ブロックの前面部下部と中仕切り下部が、下位ブロックの中仕切り上部と控尻上部に夫々支えられることによりブロックを階段状に積み重ねられ、しかもさらに広い開口を有する植栽構造体を構築することができる。
【発明を実施するための最良の形態】
【００１４】
以下図示の実施形態を参照して本発明をより詳細に説明する。図１ないし図４には、本発明に係る植栽用積みブロック１０の１例が示されており、図中、１１は前面部、１２は中仕切り、１３は控尻、そして１４はそれらを一体に結合している控え部を夫々示す。
【００１５】
この積みブロック１０を積み重ねるとき必要となる上下左右の大きさは主として中仕切り１２によって決められる。前面部１１は、平板状の中仕切り１２に対して、後方への曲がり部１５を有しており、かつ上部を除去して設けた切除部１６を有している点で、形態的及び寸法的に相違している。例示した曲がり部１５は、前面部１１の前幅に亘ってお
り、かつ前面部１１の全高の４分の１程の高さに及んでいて、境界部は折線状となっている。また切除部１６は、やはり前面部１１の全幅に亘っており、かつ前面部１１の全高の約４分の１の高さに及んでいる。前面部１１は施工後表面に露出する、いうなれば本発明に係るブロックの顔に当たる面を持つ部分であり、顔にふさわしい形態、模様等を与えることができる。
【００１６】
前面部１１と中仕切り１２との間隔は、中仕切り１２と控尻１３との間隔よりも大きく設定されており、それによって、積み上げ時、上位ブロックの前面部下部の曲がり部１５と中仕切り下部が、下位ブロックの中仕切り上部と控尻上部に夫々支えられるように設けられている。このような植栽用積みブロック１０の前面部１１と中仕切り１２との間は客土スペース１７となり、中仕切り１２と控尻１３との間は胴込めスペース１８となる。客土スペース１７は土壌を充填して植物の育成が可能な空間であり、胴込めスペース１８は本発明に係る積みブロック１０を固定する土砂やコンクリート等を充填可能な空間であ
る。胴込めスペース１８には配筋も設置可能である。
【００１７】
さらに本発明の積みブロック１０には、客土の流出抑制手段２０が設けられる。流出抑制手段２０は、前面部１１と中仕切り１２との間に配置し、客土スペース１７から客土の流出を抑制する流出止め部材２１と、流出止め部材２１を所定位置に配置する取り付け部として、流出止め部材２１をブロック本体に結合する結合部材２２とを有している。流出止め部材２１は板状ないし皿状の部材であり、客土スペース１７の底となるもので、左右両側に立ち上がり２３、２３を有し、そこに結合部材２２の結合部２４を引っ掛けるもので、結合部材２２をブロック本体に取り付けるために、結合部材２２を掛け止める手段２５として掛止溝を控え部１４に必要個数設けた構成を有している。
【００１８】
流出抑制手段２０の施工例は図６ないし図９に示されており、各図では、前面部１１と中仕切り１２の左右を接して並べた本発明に係る隣接ブロック１０の各控え部間に流れ止め部材２１を配置し、その両側の立ち上がり部２３、２３を結合部材２２によって控え部１４に吊り下げて固定する。流れ止め部材２１は、前面部１１と中仕切り１２との間隔に略等しい前後方向の幅と（図９参照）、隣接ブロック１０、１０の控え部１４、１４の間隔に略等しい左右方向の長さを有し（図７参照）、立ち上がり部２３、２３の上端は控え部側面に接近しているため、客土スペース１７は下部が流れ止め部材２１によって略閉塞され、土壌を流出させ難い恰も植木鉢のような構造となる。
【００１９】
かくして、本発明に係るブロック１０を上下左右に積み重ね、その客土スペース１７に土壌を充填し、植物を育成するに当たり、客土スペース１７の底部において流出抑制手段２０を設けているので、植生土の流出を事実上食い止めることができる。
【００２０】
本発明に係るブロック１０は、図１ないし図４に４面図を示したものが標準型であり、最も多く使用されるが、これ以外にも特別の用途のために異型ブロックが併用される。図１０は自立壁を構築するための自立用ブロック１０′の１例であり、前面壁１１′と中仕切り１２′とは図１の例と同じ構成といって良いが、控尻１３′は中仕切り１２と同形同大に形成されている。図１１は図１等の２分の１の寸法を有する本発明に係るブロックの１例であり、前面壁１１″、中仕切り１２″、控尻１３″の全部が、図１０の例のブロック１０の２分の１の幅に形成されているブロック１０″を示す。さらに、ブロック本体の中仕切り１２…と控尻１３…の各上部にはそれらの間に別種のブロック（塀ブロック等）を嵌め込むことができる凹状の嵌合部２６、２７を設けることができる。嵌合部２６、２７は標準型、自立型、２分の１型その他あらゆる異型ブロックについて設けることができる。
【００２１】
次に、上述した構成を有する植栽用積みブロック１０…を使用して施工し得る例を示
す。図３はもたれ擁壁工を示しており、壁面３０に裏込め材３１を介して胴込めコンクリート３２を打設し本発明に係る植栽用積みブロック１０…で覆ったもので、３３は基礎工、３４は天端コンクリートを示す。標準型と２分の１型のブロック１０、１０″を並用している図１３Ａを見ると、正面には、上部ブロックの曲がり部１５、１５″の下部から客土スペース１７の開口３５がのぞいており、図１３Ｂにより、流出抑制手段２０で流出止めがなされている土壌に植物３６の生育している状態が示されていることが分かる。
【００２２】
図１４は、下部擁壁３９の上位に前記図１３と同様の本発明に係るブロック１０…を用いた擁壁施工を行ったもので、既存のブロック３７と本発明ブロック１０、１０′…とを併用して構築した例を示している。既存のブロック３７による擁壁面は植生用開口３８が少なく、かつ不連続であるが、本発明ブロック１０、１０′…による植生のための開口３５は広く、しかも連続しており、より緑の濃い植栽を可能にすることが分かる。他の構成については図１３等の符号を採用し、詳細な説明を省略する。
【００２３】
図１５は、本発明に係るブロック１０、１０′…を直積みに使用した例であり、基礎工４３の上に前面部１１、中仕切り１２及び控尻１３を平らに載せた状態で左右に敷き並
べ、さらに上に積み重ねた構造を有している。胴込め４２及び裏込めは共にコンクリートで行っており、壁面４０との間には裏込め材４１が充填されている。直積みであるから各ブロック１０、１０′…は、前面部１１の上下に前面部１１、中仕切り１２の上下に中仕切り１２、また控尻１３の上下には控尻１３が位置する配置となっているが、各ブロック前面部１１の曲がり部１５と切除部１６とによる大きな開口３５が形成されているので、植物の盛んな育成が約束される。なお、開口の大きさについては図１５と図１４の例とも同じと考えて良い。図中、４３は基礎工、４４は天端コンクリートを夫々示す。
【００２４】
図１６は、本発明に係るフロック１０、１０′…を段積みに使用した例であり、上位ブロックの前面部１１の下部と中仕切り１２の下部が、下位ブロックの中仕切り１２の上部と控尻の上部に支えられ、順に上部が後退して行く段階構造となる。このように段積みとした結果、下位ブロックの客土スペース１７の上方空間が大きく開き、大気との接触面積が本発明に係るブロック１０、１０′…による施工法の中では最大となる。図中、５０は壁面、５１は裏込め材、５２は胴込めコンクリート、５３は基礎工、５４は天端コンクリートを夫々示す。
【００２５】
図１７は本発明に係るブロック１０、１０′…を段積みするとともに、アンカー工法によって、より強固な構造を与えた例を示す。この工法では、段積みしたブロック１０、
１０′…の胴込めスペース１８に差し筋５５を設置し、そこにコンクリートを打設して胴込めを行い構造筋５６から後へ延設したアンカー筋５７の他端をパネル材５８と接続し、ブロック背面と壁面５０との間に砕石による裏込めを施したものである。アンカー工法
は、段積み式のみならず、もたれ式や直積み式においても同様に実施することができる。
【００２６】
図１８は、本発明に係るブロック１０、１０′…の中仕切り１２…と控尻１３′…の間の上部に別規格のブロックとして塀ブロック６０を嵌め込んだ例であり、それらの裏面は鏡板６５を控尻１３′と合わせて張設している。塀ブロック６０は植生用のポット構造を有していることが望ましく、その上端には笠石６６及びフェンス６７などを設置することもできる。図中６１はベースブロック、６２は構造鉄筋、ＧＬはグラウンドラインを夫々示す。
【図面の簡単な説明】
【００２７】
【図１】本発明に係る植栽用積みブロックの１実施例を示す平面図。
【図２】同上のものの正面図。
【図３】同じく下面図。
【図４】同じく側面図。
【図５】Ａは流出抑制手段の結合部材の１例を示す正面図、Ｂは同じく流出止め部材の１例を示す正面図。
【図６】本発明ブロックと流出抑制手段との関係を示す斜視図。
【図７】同上のものの平面図。
【図８】同じく正面図。
【図９】同じく側面図。
【図１０】本発明ブロックに含まれる異型ブロックの１例を示す平面図。
【図１１】同じく異型ブロック他の例を示す平面図。
【図１２】同じく異型ブロックの側面図。
【図１３】Ａは本発明ブロックの適用例であるもたれ擁壁工の正面図、Ｂは図１３ＡのＸＩＩＩ−ＸＩＩＩ線断面図。
【図１４】Ａは既存ブロックと本発明ブロックを併用したもたれ擁壁工の斜視図、Ｂは縦断面図。
【図１５】Ａは本発明ブロックの適用例である直積み工法の斜視図、Ｂは縦断面図。
【図１６】Ａは本発明ブロックの適用例である段積み工法の斜視図、Ｂは縦断面図。
【図１７】Ａは本発明ブロックを適用した段積み工法にアンカー工法を併用した例の平面図、Ｂは同じく後方斜視図、Ｃは側面図、Ｄは背面図。
【図１８】Ａは本発明ブロックを適用した塀の斜視図、Ｂは同じく断面図、Ｃは裏面図。
【符号の説明】
【００２８】
１０  植栽用積みブロック
１１  前面部
１２  中仕切り
１３  控尻
１５  曲がり部
１６  切除部
１７  客土スペース
１８  胴込めスペース
２０  流出抑制手段
２１  流出止め部材
２２  結合部材
２３  立ち上がり部
２５  掛け止め手段
２６、２７  嵌合部
３０、４０、５０  壁面
３１、４１、５１  裏込め材
３２、４２、５２  胴込めコンクリート
３３、４３、５３  基礎工
３４，４４、５４  天端コンクリート
３５  客土スペースの開口（植栽開口）
３６  植物
【図１】
2006104676.tif 000003
【図２】
2006104676.tif 000004
【図３】
2006104676.tif 000005
【図４】
2006104676.tif 000006
【図５】
2006104676.tif 000007
【図６】
2006104676.tif 000008
【図７】
2006104676.tif 000009
【図８】
2006104676.tif 000010
【図９】
2006104676.tif 000011
【図１０】
2006104676.tif 000012
【図１１】
2006104676.tif 000013
【図１２】
2006104676.tif 000014
【図１３】
2006104676.tif 000015
【図１４】
2006104676.tif 000016
【図１５】
2006104676.tif 000017
【図１６】
2006104676.tif 000018
【図１７】
2006104676.tif 000019
【図１８】
2006104676.tif 000020